(57)【要約】【課題】マスタクロックに同期して伝送する同期伝送システムであって、マスタクロック変更時に新たなマスタクロックに切替えて同期伝送を継続可能とする。【解決手段】  マスタクロックに従属して同期伝送を行う同期伝送システムの同期伝送装置は、複数の同期伝送路対応の送受信インタフェース部（光インタフェース盤１３〜１６）と、送信先方路選択を行うスイッチ盤１０，１１と、マスタクロックを選択制御するクロック盤１２とを含み、送受信インタフェース部は、同期伝送フォーマットのペイロード内に多重化して伝送するクロック優先度情報を含むクロック情報の抽出手段と挿入手段と、マスタクロック切替時の保護時間を設定する切替保護タイマーとを含み、クロック盤１２は、複数の送受信インタフェース部対応の抽出部により抽出されたクロック情報の優先度情報を比較して、最高優先度のクロック情報を選択して装置内各部へ通知する機能を有する。【選択図】図１
2014064250.tif 000002
【特許請求の範囲】
【請求項１】
複数の同期伝送装置を伝送路により順次接続し、マスタクロックに同期して伝送処理を行う同期伝送システムに於いて、
前記同期伝送装置は、伝送路対応の送受信インタフェース部と、該送受信インタフェース部間の同期伝送データの方路選択制御処理を行うスイッチ盤と、前記マスタクロックの選択制御処理を行うクロック盤を含む制御処理部とを備え、
前記送受信インタフェース部は、同期伝送フォーマットのペイロードの所定位置に付加して伝送するクロック優先度情報を含むクロック情報の抽出部及び前記クロック情報の挿入部を備え、
前記クロック盤は、前記送受信インタフェース部対応の前記抽出部により抽出したクロック情報を基にクロック優先度の最も高いクロック情報を選択する方路調停部と、該方路調停部により選択したクロック情報を前記クロック情報の挿入部へ転送するクロック優先度情報送信部とを備えた
ことを特徴とする同期伝送システム。
【請求項２】
前記送受信インタフェース部は、前記クロック優先度情報とシーケンス番号とを含むクロック優先度情報フレームを、受信同期伝送フォーマットのペイロードの所定位置から抽出して前記クロック盤に転送し、且つ前記クロック盤から転送したクロック優先度情報とシーケンス番号とを含むクロック優先度情報フレームを、送信同期伝送フォーマットのペイロードの所定位置に挿入して送信する構成を有することを特徴とする請求項１記載の同期伝送システム。
【発明の詳細な説明】
【技術分野】
【０００１】
本発明は、複数の同期伝送装置を伝送路により接続し、マスタクロックに同期して同期伝送処理を行う同期伝送システムに関する。
【背景技術】
【０００２】
複数の分散配置された同期伝送装置を、伝送路により直列状或いは環状に順次接続し、それぞれの同期伝送装置は、マスタクロック発生手段からのマスタクロックに位相同期して、同期伝送処理を行う機能を備えた同期伝送システムは、既に各種の構成が提案され、且つ実用化されている。又このような同期伝送システムに適用されているＳＤＨ（Ｓｙｎｃｈｒｏｎｏｕｓ  Ｄｉｇｉｔａｌ  Ｈｉｅｒａｃｈｙ）方式やＳＯＮＥＴ（Ｓｙｎｃｈｒｏｎｏｕｓ  Ｏｐｔｉｃａｌ  Ｎｅｔｗｏｒｋ）方式等の同期伝送方式に於いては、光信号により、例えば、数１００Ｍｂｐｓ〜数１０Ｇｂｐｓ以上の高速伝送を行うシステムも各種提案され、且つ実用化されている。
【０００３】
このような同期伝送システムは、それぞれの同期伝送装置がマスタクロックに位相同期して伝送処理を行うものであり、例えば、複数の同期伝送装置を二重リング伝送路により接続し、マスタ局として設定した同期伝送装置に、マスタクロック供給手段を設け、他の同期伝送装置の中の選定した同期伝送装置に予備マスタクロック供給手段を設け、通常時は、マスタクロック供給手段からのクロックによって、各同期伝送装置は同期伝送処理を行い、クロック異常を検出した時に、予備マスタクロック供給手段からのクロックに切替えて、同期伝送処理を継続可能としたシステム構成が提案されている（例えば、特許文献１参照）。
【０００４】
又複数の同期伝送装置を順次接続してクロック同期による同期伝送を行う同期伝送システムに於いて、複数の同期伝送装置の中の所定の同期伝送装置は、クロック供給手段を備えたマスタ局とし、他の同期伝送装置は、クロックの選択制御機能を備え、基本的には、マスタ局の同期伝送装置からのクロックに同期して、各同期伝送装置は同期伝送処理を行うものであるが、クロック障害検出時には、自装置に設けたクロック供給手段、又は他の装置のクロック抽出手段によるクロックを選択して同期伝送を継続するクロック同期伝送手段が提案されている（例えば、特許文献２参照）。
【先行技術文献】
【特許文献】
【０００５】
【特許文献１】特開平１０−２１００６４号公報
【特許文献２】特開２００３−１５８５０８号公報
【発明の概要】
【発明が解決しようとする課題】
【０００６】
同期伝送システムとして、例えば、図８の（Ａ）に示すように、同期伝送装置のＡ装置１０１，１０２，１０４とＢ装置１０３とを直列的に伝送路により接続し、クロック供給装置（ＮＳＥ）１０５，１０６をそれぞれ両端のＡ装置１０１，１０４に接続し、一方のクロック供給装置１０５を（優先度−１）、他方のクロック供給装置１０６を（優先度−２）とし、それぞれの優先度については、（優先度−１）＞（優先度−２）の関係、即ち、クロック供給装置１０５の方が高い優先度を有する場合を示し、又Ａ装置１０１，１０２，１０４は、同一仕様に基づく構成であって、それぞれ（優先度−１）と（優先度−２）とのクロック供給装置１０５，１０６を選択可能とした機能を有し、Ｂ装置１０３は、基本的な同期伝送処理機能については、Ａ装置１０１，１０２，１０４と同一であるが、初期設定時に選択設定した最高の（優先度−１）のクロック供給装置１０５に対してのみ、固定的な従属可能の同期伝送処理機能を有する場合を示す。このような同期伝送システムとして、例えば、Ａ装置１０１，１０２，１０４はＡ社製、Ｂ装置１０３はＢ社製の場合等があり、Ｂ装置１０３は、優先度の異なる同期クロックの選択機能を備えていない場合に相当する。
【０００７】
このような同期伝送システムを構成するＡ装置１０１，１０２，１０４とＢ装置１０３とは、主信号伝送処理機能はそれぞれ同一であるが、製造年月日の相違やメーカーの相違等によって、前述のように、クロック選択手段等に相違点が存在する場合がある。従って、このようなシステム構成に於いて、それぞれ基本的な同期伝送処理機能は同一であるから、例えば、ＳＤＨ方式を適用した同期伝送システムの場合、ＳＯＨ（Ｓｅｃｔｉｏｎ  Ｏｖｅｒ  Ｈｅａｄ）とペイロードとからなる伝送フォーマットを適用し、ＳＯＨにより同期情報や各種の制御情報を伝送し、ペイロードにより、同期伝送装置間の各種の伝送データを、バーチャルコンテナ等により多重化して伝送することができる。
【０００８】
しかし、前述のような同期伝送システムに於いて、Ａ装置とＢ装置とのように、基本的な同期伝送処理機能は同一であるが、製造年月日やメーカー等の相違によって、それぞれ僅かな構成や処理機能が相違する伝送装置を含む場合がある。例えば、クロック優先度選択手段が相違し、図８の（Ａ）に示す状態では、（優先度−１）のクロック供給装置（ＮＳＥ）１０５からのクロックにより、Ａ装置１０１，１０２，１０４及びＢ装置１０３は同期伝送処理を行うことが可能であって、正常な同期伝送を行うことができるが、クロック供給装置１０５の障害発生時には、図８の（Ｂ）に示すように、予備としての（優先度−２）のクロック供給装置１０６（ＮＳＥ）からのクロックに切替えることになる。
【０００９】
このようなシステム構成に於いて、（優先度−１）のクロック供給装置１０５からのクロックにより、Ａ装置１０１，１０２，１０４とＢ装置１０３とによる同期伝送処理は可能であっても、内部処理構成の相違等により、Ｂ装置１０３は、一方の（優先度−１）のクロック供給装置１０５に対して固定的にクロック従属同期処理が可能の構成であって、他方の（優先度−２）のクロック供給装置１０６からのクロックを選択して同期伝送処理を行うことができない構成の場合、Ｂ装置１０３が介在することにより、（優先度−１）のクロック供給装置１０５の障害発生時に、（優先度−２）のクロック供給装置１０６からのクロックを選択して、同期伝送を継続しようとしても、Ｂ装置１０３は、クロック供給装置１０６に対して、クロック従属同期処理ができないことにより、Ｂ装置１０３を介して接続されている下流側のＡ装置１０１，１０２は、クロック同期伝送処理を継続できなくなる問題があった。
【００１０】
又図９は、従来例のクロック優先度情報フレームの説明図であり、同図の（Ａ）は、例えば、図８に於けるＡ装置１０１，１０２，１０４のクロック優先度情報フレーム、同図の（Ｂ）は、例えば、図８に於けるＢ装置１０３のクロック優先度情報フレームについての例をそれぞれ示し、図９の（Ａ）のＡ装置のクロック優先度情報フレームは、それぞれ１ビット構成のＳＯＦＴビット（Ｓ）とＥＸＴビット（Ｅ）と未使用ビット（未）と、９ビット構成のクロック優先度情報−Ａと、１０ビット構成のシーケンス番号（１）と、２ビット構成のシーケンス番号（２）とを含む構成を有し、又図９の（Ｂ）のＢ装置のクロック優先度情報フレームは、それぞれ１ビット構成のＳＯＦＴビット（Ｓ）と未使用ビット（未）と、１３ビット構成のクロック優先度情報−Ｂ（１）と、８ビット構成のクロック優先度情報−Ｂ（２）と、８ビット構成のクロック優先度情報−Ｂ（３）とを含む構成を有する場合がある。そして、前述の（Ａ）に示すクロック優先度情報−Ａと、シーケンス番号（１）と、シーケンス番号（２）と、前述の（Ｂ）に示すクロック優先度情報−Ｂ（１）〜（３）とは、同図の（Ｂ）の下方に示すように、用途がそれぞれ異なる情報を示すものである。このように、クロック優先度情報についても相違する場合がある。
【００１１】
図１０は、従来例のクロック情報転送機能の概要説明図であり、２００はクロック盤、２０１は方路調停部、２０２はＮｍｓ切替保護タイマー、２０３はクロック従属先切替部、２０４は送信部、２１０，２２０，２３０，２４０は光インタフェース盤、２１１，２２１，２３１，２４１は光伝送路情報抽出部、２１２，２２２，２３２，２４２は光伝送路情報挿入部を示し、光信号同期伝送装置に於けるインタフェース盤とクロック盤との要部を示す。なお、主信号は、光インタフェース盤２１０，２２０，２３０，２４０と、図示を省略したスイッチ盤による主信号伝送処理手段とを介して伝送する。又クロック盤２００は、方路調停部２０１と、Ｎｍｓ切替保護タイマー２０１と、クロック従属先切替部２０３と、クロック優先度情報等を光インタフェース盤２１０，２２０，２３０，２４０へ転送する送信部２０４とを含む構成を備え、送信部２０４から光インタフェース盤２１０，２２０，２３０，２４０に、図９に示すようなクロック優先度情報等を転送する。
【００１２】
クロック盤２００の方路調停部２０１は、光インタフェース盤２１０，２２０，２３０，２４０の光伝送路情報抽出部２１１，２２１，２３１，２４１により抽出した例えば図９の（Ａ）に示す９ビット構成のクロック優先度情報−Ａと、１０ビット構成のシーケンス番号（１）と、２ビット構成のシーケンス番号（２）とを含む情報を基に、０系か１系かの方路の選択を行い、方路切替えを行う場合は、Ｎｍｓ切替保護タイマー２０２を起動し、それによる保護時間後に、クロック従属先切替部２０３から送信部２０４に通知し、０系と１系との何れか一方から他方への切替えを制御する。
【００１３】
比較的大規模の同期伝送システムは、数１００台以上の同期伝送装置を、光伝送路により順次接続した構成が適用されており、ペイロードによる主信号の伝送処理機能は、総て同一とするものであるが、補助機能は、前述のように、製造年月日やメーカー等の相違によって異なる場合が多いものである。更には、長期間の運用によって、同期伝送装置の旧装置を新装置に交換する場合もある。その為に、前述の図８に示すようなクロック従属機能が相違する同期伝送装置が混在して接続された同期伝送システムが構成される場合がある。このような混在接続された構成により、前述のように、マスタクロック障害発生時に、予備のマスタクロックに切替えても、それに追従した選択制御機能に再構成することができない同期伝送装置が含まれている場合があり、その場合には、同期伝送処理を継続できなくなる問題が発生する。
【００１４】
本発明は、前述の従来の問題点を解決することを目的とし、製造年月日やメーカー等の相違に基づくクロック優先度情報受信処理やクロック調停処理等の相違部分について、変換処理により、制御処理機能の共通化を図り、且つペイロードによってクロック優先度情報を伝送することにより、総ての同期伝送装置に於いて受信識別可能とし、常に優先度の高いマスタクロックを選択して同期伝送処理の継続を可能とするものである。
【課題を解決するための手段】
【００１５】
本発明の同期伝送システムは、複数の同期伝送装置を伝送路により順次接続し、マスタクロックに同期して伝送処理を行う同期伝送システムであって、前記同期伝送装置は、伝送路対応の送受信インタフェース部と、該送受信インタフェース部間の同期伝送データの方路選択制御処理を行うスイッチ盤と、前記マスタクロックの選択制御処理を行うクロック盤を含む制御処理部とを備え、前記送受信インタフェース部は、同期伝送フォーマットのペイロードの所定位置に付加して伝送するクロック優先度情報を含むクロック情報の抽出部及び前記クロック情報の挿入部を備え、前記クロック盤は、前記送受信インタフェース部対応の前記抽出部により抽出したクロック情報を基にクロック優先度の最も高いクロック情報を選択する方路調停部と、該方路調停部により選択したクロック情報を前記クロック情報の挿入部へ転送するクロック優先度情報送信部とを備えている。
【００１６】
又前記送受信インタフェース部は、前記クロック優先度情報とシーケンス番号とを含むクロック優先度情報フレームを、受信同期伝送フォーマットのペイロードの所定位置から抽出して前記クロック盤に転送し、且つ前記クロック盤から転送したクロック優先度情報とシーケンス番号とを含むクロック優先度情報フレームを、送信同期伝送フォーマットのペイロードの所定位置に挿入して送信する構成を有するものである。
【発明の効果】
【００１７】
マスタクロックに同期して同期伝送を行うシステムに於けるマスタクロック障害等により、他のクロック発生部からのクロックをマスタクロックとして切替えて使用する場合、ペイロードの一部の予め設定した位置に、クロック優先度情報を含むクロック情報を挿入して伝送することにより、同期伝送システム内の総ての同期伝送装置に、クロック優先度情報を通知することが可能となる。それによって、メーカーや製造年度等が相違する同期伝送装置が混在していても、マスタクロック切替時には総て同一のマスタクロックに切替えて、同期伝送を継続することが可能となる。
【図面の簡単な説明】
【００１８】
【図１】本発明の実施例の要部説明図である。
【図２】本発明の実施例のクロック優先度情報変換処理の概要説明図である。
【図３】本発明の実施例の同期伝送装置の上流側の要部説明図である。
【図４】本発明の実施例の同期伝送装置の下流側の要部説明図である。
【図５】本発明の実施例の主信号タイムスロットの説明図である。
【図６】本発明の実施例の要部動作用フローチャートである。
【図７】本発明の実施例の要部動作説明図である。
【図８】従来例の同期伝送システムの概要説明図である。
【図９】従来例のクロック優先度情報の説明図である。
【図１０】従来例のクロック情報転送の概要説明図である。
【発明を実施するための形態】
【００１９】
本発明の同期伝送システムは、図１を参照して説明すると、複数の同期伝送装置を伝送路により順次接続し、マスタクロックに同期して伝送処理を行う同期伝送システムであって、同期伝送装置は、伝送路対応の送受信インタフェース部（光インタフェース盤）と、この送受信インタフェース部（光インタフェース盤１３〜１６）間の同期伝送データの方路選択制御処理を行うスイッチ盤（１０）、（１１）と、マスタクロックの選択制御処理を行うクロック盤（１２）を含む制御処理部とを備え、送受信インタフェース部は、同期伝送フォーマットのペイロードの所定位置に付加して伝送するクロック優先度情報を含むクロック情報の抽出部及び前記クロック情報の挿入部を備え、前記クロック盤（１２）は、前記送受信インタフェース部（光インタフェース盤１３〜１６）対応の抽出部により抽出したクロック情報を基にクロック優先度の最も高いクロック情報を選択する方路調停部（２３）と、この方路調停部（２３）により選択したクロック情報を、前記クロック情報の挿入部へ転送するクロック優先度情報送信部（２４）とを備えている。
【実施例１】
【００２０】
図１は、本発明の実施例１の要部説明図であり、０系と１系との現用予備系の構成を有し、１０は０系の光信号のスイッチ盤（０）、１１は１系の光信号のスイッチ盤（１）、１２はクロック盤、１３〜１６は送受信インタフェース部としての光インタフェース盤（０系、１系）、１７，２２は光伝送路情報抽出部、１８，２１はＮｍｓ切替保護タイマー、１９，２０は光伝送路情報挿入・生成部、２３は方路調停部、２４はクロック優先度情報送信部を示す。なお、光インタフェース盤１３は、（０系：ＳＬＯＴ６）として示すように、０系でスロット６に実装され、光インタフェース盤１４は、（１系：ＳＬＯＴ７）として示すように、１系でスロット７に実装され、光インタフェース盤１５は、（０系：ＳＬＯＴ８）として示すように、０系でスロット８に実装され、光インタフェース盤１６は、（１系：ＳＬＯＴ９）として示すように、１系でスロット９に実装された場合を示し、それぞれ光信号の分岐、挿入等の機能も含むものである。
【００２１】
又スイッチ盤１０，１１及び光インタフェース盤１３〜１６は、光信号の選択処理や転送処理の機能等を含むものであり、詳細な構成は図示を省略している。又クロック盤１２は、方路調停部２３とクロック優先度情報送信部２４とを含む構成を有し、各光インタフェース盤１３〜１６の光伝送路情報抽出部１７，２２により、ペイロードの所定位置から抽出したクロック優先度情報を基に、マスタクロック切替えを行う場合、Ｎｍｓ切替保護タイマー１８による保護時間後に、クロック盤１２の方路調停部２３にクロック切替えを要求する。方路調停部２３は、Ｎｍｓ切替保護タイマー１８，２１を介した切替要求情報を基に、クロック優先度情報送信部２４から、各光インタフェース盤１３〜１６の光伝送路情報挿入・生成部１９，２０に、クロック優先度情報を転送する。
【００２２】
図２は、クロック優先度情報フレームの説明図であり、（Ａ）は、クロック優先度情報を示し、このクロック優先度情報を、ペイロードの所定位置に付加して伝送する。又図２の（Ｂ）は、例えば、前述の図８に於けるＢ装置対応のクロック優先度情報を示し、その内容と、（Ａ）に示すクロック優先度情報との対応を矢印で示す。即ち、図２の（Ｂ）のクロック優先度情報−Ｂ（１）は、１〜１３の１３ビット構成であるが、１１〜１３ビット目は固定値とし、１０ビット目はＥＸＴビットとして、クロック優先度情報−Ａの９ビット構成に対応させ、クロック優先度情報−Ｂ（２）及びクロック優先度情報−Ｂ（３）の合計１６ビットは固定値とする。これによって、クロック優先度情報−Ｂ（１）を、クロック優先度情報−Ａに対応させることが可能である。又クロック優先度情報を、Ｐａｙｌｏａｄ領域使用として示すように、ＳＤＨフレームのペイロードの所定位置により伝送し、製造年度やメーカー等の相違によるクロック優先度情報を、総ての同期伝送装置に伝達することが可能となるから、例えば、図８を参照した従来例のＢ装置のような問題点は解消することになる。
【００２３】
図３及び図４は、本発明の実施例の要部説明図であり、図３は、図１に於ける０系、１系のスイッチ盤１０，１１と光インタフェース盤１３，１４とにそれぞれ相当するスイッチ盤（０）３０と、スイッチ盤（１）３１と、光インタフェース盤（＃６：０系）３２，（＃２：０系）３３，（＃７：１系）３４，（＃３：１系）３５とを示す。又各光インタフェース盤３２〜３５の中の４１はクロック優先度情報処理部、４２はタイムスイッチ部（ＴＳＷ）、４３はセレクタを示す。又図４は、図１に於ける０系、１系のスイッチ盤１０，１１と光インタフェース盤１５，１６とにそれぞれ相当するスイッチ盤（０）３０と、スイッチ盤（１）３１と、光インタフェース盤（＃８：０系）３６，（＃４：０系）３７，（＃９：１系）３８，（＃５：１系）３９とを示す。又各光インタフェース盤３６〜３９の中の４１，４２，４３は、それぞれクロック優先度情報処理部、タイムスイッチ部（ＴＳＷ）、セレクタを示す。なお、図１に於けるクロック盤１２に対応する構成は図示を省略している。
【００２４】
前述の図３及び図４に於けるクロック優先度情報処理部４１は、図１に於ける光伝送路情報抽出部１７と光伝送路情報挿入・生成部１９の機能に対応する機能を含み、ＳＤＨフレームのペイロードの所定位置により伝送するクロック優先度情報の抽出及び挿入の処理を行う伝送処理機能によって、クロック優先度情報に従ったクロックを選択して、同期伝送処理を実行することができる。
【００２５】
図５は、タイムスロットの一例の説明図であり、（Ａ）はペイロードの一部に設定したスロット（ＳＬＯＴ＃２〜＃９）のデータ領域を示し、（Ｂ）はスロット（ＳＬＯＴ＃２のデータ領域）の内容を示す。同図の（Ｂ）に於いて、１ＴＳ（タイムスロット）目の８ビットと２ＴＳ目の前半（４ビット）とによる合計１２ビットによって、ＳＯＦ（１）＋ＥＸＴ（１）＋固定（１）＋クロック優先度情報−Ａ（９）を構成して、クロック優先度情報を伝送し、２ＴＳ目の後半（４ビット）と３ＴＳ目（８ビット）とによる１２ビットによりシーケンス番号を伝送し、４ＴＳ目の６ビットを制御監視情報として伝送し、４ＴＳ目の７ビット目は予備ビット、８ビット目はパリティＰとした場合を示す。この場合のクロック優先度情報は、図２の（Ａ）に示すクロック優先度情報−Ａと同様の構成のものである。
【００２６】
図６は、本発明の実施例１のフローチャートであり、クロック優先度情報を基にクロック選択処理を行うもので、自ＥＣＩ  ＣＰＳＴ（外部クロック入力盤  クロック優先度情報）設定値、自ＳＣＫ  ＣＰＳＴ（自クロック盤  クロック優先度情報）設定値を基に、ＳＣＫ／自ＳＣＫのＣＰＳＴ比較を行い（ａ１）、比較一致の時は、内部マスタ（Ａ１）、即ち、自装置の内部マスタクロックを選択する。又比較不一致の時は、外部スレーブ設定有効か無効かを判定する（ａ２）。設定有効判定の場合は、クロック盤（ＳＣＫ）からのクロック優先度情報ＲＨＯＰの下位の１ビットが、“０”か“１”かを判定し（ａ３）、“０”の場合は、外部スレーブ正常動作と判定し、外部スレーブ（Ｂ１）を選択する。又“１”の場合は、ステップ（ａ４）に移行して、ＳＣＫ／各伝送路ＣＰＩＤのＣＰＳ比較を行う。即ち、クロック盤と各伝送路とのクロック優先度情報ＣＰＳＴの比較を行って、比較一致によりステップ（ａ５）へ移行し、比較不一致によりステップ（ａ６）へ移行する。又ステップ（ａ５）に於いては、クロック盤と自外部クロック入力盤とについてクロック優先度情報の比較を行い、比較不一致の場合は、スレーブ（Ｃ１）を選択する。又比較一致により外部マスタ（拠点）（Ｄ１）を選択する。又ステップ（ａ６）に於いて、クロック盤と自外部クロック入力盤とのクロック優先度情報の比較を行い、不一致の場合は、前の状態を維持し（前値保持）、一致の場合は、ステップ（ａ５）と同様に、外部マスタ（拠点）（Ｄ１）選択とする。
【００２７】
図７は、前述の図６に於ける内部マスタ（内部ＯＳＣ）（Ａ１）と、外部スレーブ（Ｂ１）と、スレーブ（Ｃ１）と、外部マスタ（拠点）（Ｄ１）とのそれぞれの処理内容の概要を示すもので、内部マスタ（内部ＯＳＣ）（Ａ１）の場合、送信ＳＥＱ（送信シーケンス管理番号）：自己生成、送信ＲＳＶ（送信シーケンス管理番号）：自己生成、且つ受信ＳＥＱ（受信シーケンス番号）：チェック、受信ＲＳＶ（受信シーケンス管理番号）：無視の処理を行い（Ａ２）、入出力盤Ｓ１５ｘｘ送信ＣＰＩＤ（クロック優先度情報）は、タイマー非動作時には、クロック盤ＳＣＫの受信ＣＰＩＤを送信し、タイマー作動時には、クロック盤ＳＣＫ設定値を送信する処理を行う（Ａ３）。
【００２８】
又外部スレーブ（Ｂ１）の場合、送信ＳＥＱ（送信シーケンス管理番号）：同期生成、送信ＲＳＶ（送信シーケンス管理番号）：スルー、受信ＳＥＱ（受信シーケンス管理番号）：チェック、受信ＲＳＶ（受信シーケンス管理番号）：チェックの処理をそれぞれ行い（Ｂ２）、入出力盤Ｓ１５ｘｘ送信ＣＰＩＤ（クロック優先度情報）は、タイマー非動作時、クロック盤ＳＣＫからの受信ＣＰＩＤ（クロック優先度情報）を送信する。又タイマー動作中は、受信ＣＰＩＤ（クロック優先度情報）が、外部クロック入力盤ＥＣＩ設定の優先度より低い場合、ＥＣＩ設定より優先度が低い外部クロック入力盤ＥＣＩ設定値を送信し、受信ＣＰＩＤ（クロック優先度情報）が、外部クロック入力盤ＥＣＩ設定の優先度が高い場合、伝送路受信値を送信する（Ｂ３）。
【００２９】
又スレーブ（Ｃ１）の場合、送信ＳＥＱ：スルー、送信ＲＳＶ：スルーとし、受信ＳＥＱ：チェック、受信ＲＳＶ：無視とし（Ｃ２）、入出力盤Ｓ１５ｘｘ送信ＣＰＩＤ（クロック優先度情報）は、タイマー非作動時、クロック盤ＳＣＫからの受信ＣＰＩＤ（クロック優先度情報）を送信し、タイマー作動中は、受信ＣＰＩＤ（クロック優先度情報）がクロック盤ＳＣＫ設定より優先度が低い場合、クロック盤ＳＣＫ設定値を送信し、反対に優先度が高い場合、伝送路を介して受信した値を送信する（Ｃ３）。
【００３０】
又外部マスタ（拠点）（Ｄ１）の場合、送信ＳＥＱ：自己生成、送信ＲＳＶ：自己生成とし、受信ＳＥＱ：チェック、受信ＲＳＶ：無視とし（Ｄ２）、拠点となったことによるクロック関連の各種情報の処理を行う。又入出力盤Ｓ１５ｘｘ送信ＣＰＩＤ（クロック優先度情報）は、タイマー非作動時に於いて、クロック盤ＳＣＫからの受信ＣＰＩＤ（クロック優先度情報）を（ＥＣＩ設定値）として送信し、タイマー動作中に於いては、特になにもしない（Ｄ３）。
【００３１】
又複数の入出力盤Ｓ１５ｘｘ盤３２〜３９（図３及び図４参照）を備えている場合、それらの中の一つを指令塔に選定し、例えば、図８の従来例のＢ装置等が混在して接続されている場合に、その仕様に基づくクロック関連の情報を、Ａ装置等による基準仕様に変換処理して、他の入出力盤に転送することも可能であり、多機種混在ネットワークのクロック従属同期を継続することも可能となる。
【符号の説明】
【００３２】
１０，１１  スイッチ盤（０），（１）
１２  クロック盤
１３〜１６  光インタフェース盤
１７，２２  光伝送路情報抽出部
１８，２１  Ｎｍｓ切替保護タイマー
１９，２０  光伝送路情報挿入・生成部
２３  方路調停部
２４  クロック優先度情報送信部
【図１】
2014064250.tif 000003
【図２】
2014064250.tif 000004
【図３】
2014064250.tif 000005
【図４】
2014064250.tif 000006
【図５】
2014064250.tif 000007
【図６】
2014064250.tif 000008
【図７】
2014064250.tif 000009
【図８】
2014064250.tif 000010
【図９】
2014064250.tif 000011
【図１０】
2014064250.tif 000012